(57)【要約】【課題】思いも寄らない場所に取り付けて、回転する様子を楽しむことができる回転玩具を提供する。【解決手段】回転玩具１０は、電池４と、電池４に接続されるモーター２と、モーター２と電池４とを収容するためのケース３と、ケース３の底面に設けられた磁石５と、磁石５を他の物品に引っ付けた場合にオンとなるスイッチ６と、モーター２の軸２ａに連結している形状部１とを備える。磁石５を他の物品に引っ付けてスイッチ６がオンになると、形状部１がケース３の回りで回転する。【選択図】図１
0003235350.tif 000002
【実用新案登録請求の範囲】
【請求項１】
電池に接続され得るモーターと、
前記モーターと前記電池とを収容するためのケースと、
前記ケースの底面に設けられた磁石と、
前記磁石を他の物品に引っ付けた場合にオンとなるスイッチと、
前記モーターの軸に連結している形状部とを備え、
前記スイッチがオンになると、前記形状部が前記ケースの回りで回転することを特徴とする、回転玩具。
【請求項２】
前記形状部は、ぜんまいネジの形状を有することを特徴とする、請求項１に記載の回転玩具。
【請求項３】
前記スイッチは、タクトスイッチであることを特徴とする、請求項１又は２に記載の回転玩具。
【請求項４】
前記ケースと前記形状部の胴部との間には、隙間が設けられていることを特徴とする、請求項１〜３のいずれかに記載の回転玩具。
【請求項５】
前記ケースの底面は、前記電池を交換することができるように、蓋状となっていることを特徴とする、請求項１〜４のいずれかに記載の回転玩具。
【考案の詳細な説明】
【技術分野】
【０００１】
本考案は、回転する玩具に関する。
【背景技術】
【０００２】
回転する玩具として、特許文献１ないし３に記載のような玩具が存在する。
【０００３】
特許文献１に記載の回転玩具は、握柄部（１）を持って振り回すことによって、回転するディスプレイ部（３）に内蔵した遠心スイッチ（４０）が作動してディスプレイ部（３）に取り付けたＬＥＤ（４）が発光するようにした回転玩具である。使用者は、ディスプレイ部（３）を振り回すだけで自動的に電源スイッチをオンにすることができ、ＬＥＤを光らせることができる。このようにして、特許文献１に記載の回転玩具は、ディスプレイ部（３）を回転させながら、ＬＥＤ（４）を光らせて遊ぶ玩具である。なお、括弧内の符号は、各特許文献で用いられる符号である（以下、同様）。
【０００４】
特許文献２に記載の玩具は、回転装飾体（１）と、回転装飾体（１）を回転させる回転駆動装置（１６）とを備える。当該玩具では、回転駆動装置（１６）の回転軸（１７）に、回転装飾体（１）が取付けられている。回転装飾帯（１）の中央の空間部１９に表示体（２０）や照明等を配置することで、表示体（２０）に描かれた文字や模様はボヤけて見え、また照明の明かりはボヤけたように見えて一層趣向に富んだ外観を呈するように構成されている。
【０００５】
特許文献３に記載のクリスマスツリー玩具では、台座（２０）にマイクロホン（５）が取付けられている。マイクロホン（５）の出力部は、発光体駆動用音電気信号変換器（４）に接続されている。台座（２０）には、これと一体をなすクリスマスツリー玩具部材（１）が取付けられている。クリスマスツリー玩具部材（１）上には、発光体（３）が取付けられている。発光体（３）は、発光体駆動用音電気信号変換器（４）の出力部と接続している。台座（２０）内には、オルゴール（７）と、発光体駆動用音電気信号変換器（４）と、発光体駆動用音電気信号変換器作動用電源（６）が組込まれている。さらに、駆動装置（１１）が台座（２０）に固定されている。駆動装置（１１）は、回転軸を有し、当該回転軸は、台座基底部（２１）と連結されている。駆動装置（１１）を駆動すると、それによって、クリスマスツリー玩具部材（１）と台座（２０）は一体となって、台座基底部（２１）に対して回転する。このように、特許文献３に記載のクリスマスツリー玩具は、オルゴールによる音と、発光体による発光と、回転とを楽しむことができる玩具である。
【先行技術文献】
【特許文献】
【０００６】
【特許文献１】特開２００３−１０３０７０号公報  図２
【特許文献２】特開平１０−２３６０９８号公報  図７
【特許文献３】特開平０１−０５８２１２号公報  第２図
【考案の概要】
【考案が解決しようとする課題】
【０００７】
特許文献１に記載の回転玩具は、手動で、ディスプレイ部を回転させるものであり、自動で回転している様子を楽しむ玩具ではない。
【０００８】
特許文献２及び３に記載の器具は、自動では回転するものの、置物のように、決まった場所に置いて、回転している様子を楽しむものである。そのため、置く場所が限られていた。たとえば、冷蔵庫や電子レンジの側面、自動車のボディのような思いも寄らない場所に取り付けて、回転する様子を見て楽しむというような使用方法は、特許文献２及び３に記載の器具では、想定されていない。
【０００９】
それゆえ、本考案は、思いも寄らない場所に取り付けて、回転する様子を楽しむことができる回転玩具を提供することを目的とする。
【課題を解決するための手段】
【００１０】
上記課題を解決するために、本考案は、以下のような特徴を有する。本考案は、電池に接続され得るモーターと、モーターと電池とを収容するためのケースと、ケースの底面に設けられた磁石と、磁石を他の物品に引っ付けた場合にオンとなるスイッチと、モーターの軸に連結している形状部とを備え、スイッチがオンになると、形状部がケースの回りで回転する回転玩具である。
【００１１】
好ましくは、形状部は、ぜんまいネジの形状を有するとよい。
【００１２】
好ましくは、スイッチは、タクトスイッチであるとよい。
【００１３】
好ましくは、ケースと形状部の胴部との間には、隙間が設けられているとよい。
【００１４】
好ましくは、ケースの底面は、電池を交換することができるように、蓋状となっているとよい。
【考案の効果】
【００１５】
本考案によれば、磁石を他の物品に引っ付けた場合に、スイッチがオンになり、形状部がケースの回りで回転することとなる。したがって、回転玩具を、思いも寄らない場所に取り付けて、形状部が回転する様子を楽しむことができる。
【００１６】
たとえば、形状部をぜんまいネジの形状とすれば、あたかも、ぜんまいで他の物品が動いているかのような見せ方を楽しむことができる。
【００１７】
スイッチをタクトスイッチとすれば、磁石が他の物品に付いた場合に、確実かつ速やかに、モーターを駆動させて、形状部を回転させることができる。
【００１８】
ケースと形状部の胴部との間に隙間を設けておけば、形状部の回転が可能となるだけでなく、簡易な構造となるので、回転玩具１０のコストを下げることができる。
【００１９】
ケースの底面を蓋状にすれば、電池交換が可能となる。
【００２０】
本考案のこれら、及び他の目的、特徴、局面、効果は、添付図面と照合して、以下の詳細な説明から一層明らかになるであろう。
【図面の簡単な説明】
【００２１】
【図１】図１は、本発明の一実施形態における回転玩具１０の正面図である。
【図２】図２は、本発明の一実施形態における回転玩具１０の底面図である。
【図３】図３は、本発明の一実施形態における回転玩具１０の左側面図である。
【考案を実施するための形態】
【００２２】
図１〜図３に示すように、回転玩具１０は、形状部１と、モーター２と、ケース３と、電池４と、磁石５と、スイッチ６と、固定部７と、胴部８とを備える。
【００２３】
形状部１は、胴部８と一体となっており、以下、形状部１と言った場合、胴部８も含むものとする。形状部１は、ここでは、ぜんまいネジのような形状としているが、特に限定されるものではなく、回転している様子を楽しむための形状であれば如何なる形状でもよい。
【００２４】
ケース３の内部には、モーター２と、電池４とが収容されている。ケース３の底面に、磁石５と、スイッチ６とが取付けられている。なお、スイッチ６として、たとえば、タクトスイッチを用いるとよいが限定されるものではない。タクトスイッチの他、光センサなどがスイッチ６として用いられてもよい。ケース３の上面から、モーター２の軸２ａが出ている。ケース３と胴部８との間には隙間が存在する。
【００２５】
軸２ａに対して、形状部１が、固定部７によって固定されている。これにより、軸２ａが回転すれば、形状部１が回転することとなる。
【００２６】
スイッチ６は、モーター２の回転をオンオフするためのスイッチである。
【００２７】
胴部８の底面は、電池４を交換できるように、取り外すことができるように蓋状になっていると良いが、限定されるものではない。
【００２８】
電池４は、使用時に取付けられるものであるから、発明の構成としては、電池４は必須ではない。
【００２９】
上記の構成を有する回転玩具１０の使い方について説明する。
【００３０】
鉄などの磁石を引き付けることができる部分を有する他の物品（たとえば、冷蔵庫や洗濯機、電子レンジ、自動車、手すり、フェンス、二輪車などの様々な物品）に、回転玩具１０の磁石５の部分を引っ付ける。すると、スイッチ６が押されることになるので、オンになる。スイッチ６として、光センサを用いる場合は、暗くなるので、スイッチ６がオンになる。スイッチ６がオンになると、電池４に接続されたモーター２の軸２ａが回転する。軸２ａと形状部１とは連結しており、ケース３と胴部８との間には隙間があるので、軸２ａが回転すれば、形状部１がケース３の回りで回転する。
【００３１】
回転玩具１０を、他の物品から取り外すと、スイッチ６がオフになるので、軸２ａの回転が停止し、形状部１の回転が停止する。
【００３２】
なお、胴部８の内周とケース３の外周との間の隙間は必須ではなく、ケース３の表面が滑りやすい素材で出来ていれば、胴部８の内周とケース３の外周との間に隙間がなくても、形状部１を回転させることができる。また、隙間の代わりに、ベアリングを設けてもよい。すなわち、本発明においては、スイッチ６がオンになると、形状部１がケース３の回りで回転することができるように構成されていればよく、隙間は必須ではない。
【００３３】
なお、隙間を設ける構造とすれば、簡易な構造となるので、回転玩具１０のコストを下げることができるのは言うまでもない。
【００３４】
このようにして、回転玩具１０を他の物品に引っ付けて形状部１が回転する様子を楽しむことができる。
【００３５】
たとえば、形状部１をぜんまいのネジのような形状にして、電子レンジの側面に回転玩具１０を取り付けたら、あたかも、電子レンジがぜんまいで動いているかのような印象を与えることができる。
【００３６】
本発明の実施形態によれば、思いも寄らない場所に回転玩具１０を取り付けて、回転する様子を楽しむことができる
【００３７】
以上、本考案を詳細に説明してきたが、前述の説明はあらゆる点において本考案の例示にすぎず、その範囲を限定しようとするものではない。本考案の範囲を逸脱することなく種々の改良や変形を行うことができることは言うまでもない。
【産業上の利用可能性】
【００３８】
本考案は、回転玩具であり、産業上利用可能である。
【符号の説明】
【００３９】
１０  回転玩具
１  形状部
２  モーター
２ａ  軸
３  ケース
４  電池
５  磁石
６  スイッチ
７  固定部
８  胴部
【図１】
0003235350.tif 000003
【図２】
0003235350.tif 000004
【図３】
0003235350.tif 000005